(57)【要約】【課題】外部から流入される液体などによる否定的な影響を未然に防止できるプラズマディスプレイ装置を提供する。【解決手段】前面基板２１と背面基板２２とを備えるＰＤＰ２０と、ＰＤＰ２０の背面に配されるシャーシーベース２３と、シャーシーベース２３上に設けられた印刷回路基板組立体２６と、ＰＤＰ２０、シャーシーベース２３及び、印刷回路基板組立体２６を内側に備えて上面に形成された通気孔３２を備えたケース２７と、ケース２７の内側から前記上面に形成されたケース側通気孔２７ａに対応して設けられるものであって、ケース２７の横方向に延びた１つ以上の排水用溝３１と、１つ以上の排水用溝３１間に形成された通気孔３２を備える流入液遮断用のプレート３０と、を備えるプラズマディスプレイ装置である。【選択図】図２
2006119595.tif 000002
【特許請求の範囲】
【請求項１】
前面基板と背面基板とを備えるプラズマディスプレイパネルと、
前記プラズマディスプレイパネルの背面に配されるシャーシーベースと、
前記シャーシーベース上に設けられた印刷回路基板組立体と、
前記プラズマディスプレイパネル、前記シャーシーベース及び、印刷回路基板組立体を内部に備え、上面に形成されたケース側通気孔を備えたケースと、
前記ケースの内部で前記上面に形成されたケース側通気孔に対応して設けられるものであって、ケースの横方向に延びた１つ以上の排水用溝及び、１つ以上の排水用溝間に形成された通気孔を備える流入液遮断用のプレートと、を備えるプラズマディスプレイ装置。
【請求項２】
前面基板と背面基板とを備えるプラズマディスプレイパネルと、
前記プラズマディスプレイパネルの背面に配されるシャーシーベースと、
前記シャーシーベース上に設けられた印刷回路基板組立体と、
前記プラズマディスプレイパネル、前記シャーシーベース及び、印刷回路基板組立体を内部に備え、上面に形成されたケース側通気孔を備えたケースと、
前記ケースの内側で前記上面に形成されたケース側通気孔に対応して設けられるものであって、ケースの横方向に延びた１つ以上の排水用溝及び、１つ以上の排水用溝間に形成された多数の通気孔を備える流入液遮断用のプレートと、
前記ケースの背面に対応するように離隔して、前記流入液遮断用のプレートから延びた部分を有する内側壁と、を備えるプラズマディスプレイ装置。
【請求項３】
前記流入液遮断用のプレートの排水用溝は、前記ケースに形成されたケース側通気孔の直下方に配され、前記流入液遮断用のプレートの通気孔は、前記ケースに形成されたケース側通気孔と互い違いに配されることを特徴とする請求項１または２に記載のプラズマディスプレイ装置。
【請求項４】
前記流入液遮断用のプレートの排水用溝を通じて流動する液体を排水させるように、前記排水用溝の端部に連結された排水路が前記ケースの側壁に形成されたことを特徴とする請求項１または２に記載のプラズマディスプレイ装置。
【請求項５】
前記排水用溝は、傾斜して形成されることを特徴とする請求項１または２に記載のプラズマディスプレイ装置。
【発明の詳細な説明】
【技術分野】
【０００１】
本発明は、プラズマディスプレイ装置に係り、より詳細には、プラズマディスプレイ装置の内部に流入された液体が装置の機能に影響を与えずに、外部に排出できるプラズマディスプレイ装置に関する。
【背景技術】
【０００２】
プラズマディスプレイ装置は、ガス放電現象を用いて画像を表示する平板ディスプレイ装置であって、表示容量、輝度、コントラスト、残像及び視野角などの各種表示能力が優秀であり、薄型でかつ大画面表示が可能なので、陰極線管（ＣＲＴ）を代替する次世代大型平板ディスプレイ装置として脚光を浴びている。プラズマディスプレイ装置には、ガラス基板より構成されたプラズマディスプレイパネル（ＰＤＰ）及び、前記パネルを支持するためのシャーシーベースが備えられている。
【０００３】
図１は、通常のプラズマディスプレイ装置を示す概略的な断面図である。
【０００４】
図面を参照すれば、プラズマディスプレイ装置は、前面基板１１と背面基板１２とよりなるＰＤＰと、前記ＰＤＰの背面に付着されたシャーシーベース１３と、前記シャーシーベース１３の背面に設けられた印刷回路基板組立体１６とを備え、前記ＰＤＰ、シャーシーベース、印刷回路基板組立体１６は、ケース１７の内部に設けられる。ケース１７の前面にはフィルター１９が設けられている。
【０００５】
ＰＤＰは、接着テープ１４を通じてシャーシーベース１３に付着され、ＰＤＰから発生する熱を放出させるための熱伝達用シート１５がＰＤＰとシャーシーベース１３との間に配される。参照番号１８は、背面基板１２の内表面に形成された電極と印刷回路基板組立体１６上の回路とを電気的に接続させるための信号伝達用ケーブルである。図示されていない他の信号伝達用ケーブルが、前面基板１１に形成された電極と印刷回路基板組立体１６上に形成された回路とを電気的に接続させるために提供される。
【０００６】
図１に示されたプラズマディスプレイ装置で、ケース１７は、前方ケースと後方ケースとを相互に組立てて構成されたものであり得る。ケース１７の上面と背面の一側には、通気孔１７ａが形成されるが、このような通気孔１７ａは、ＰＤＰ及び印刷回路基板組立体１６などで発生する熱を装置の外部に放熱させるために提供される。
【０００７】
前述したようなプラズマディスプレイ装置では、ユーザの不注意でまたは気象の変化に起因してプラズマディスプレイ装置内に流入される液体を外部に放出できないという問題点がある。例えば、プラズマディスプレイ装置の周辺でユーザが飲物を飲んでいて、誤って飲物をこぼせば通気孔１７ａを通じて飲物が装置の内部に流入される。また、プラズマディスプレイ装置を野外に設置する場合、たとえ降雨に備えて保護膜などを設置していたとしても、少量の雨水が通気孔１７ａを通じて装置内部に流入される可能性はある。この場合に、印刷回路基板組立体１６などに液体が接触すれば、漏電及び短絡による装置の損傷及び、機能低下の可能性が存在するものである。
【発明の開示】
【発明が解決しようとする課題】
【０００８】
本発明は、前記問題点を解決するために案出されたものであって、本発明の目的は、外部から流入される液体などによる否定的な影響を未然に防止できるプラズマディスプレイ装置を提供することである。
【課題を解決するための手段】
【０００９】
前記目的を達成するために本発明によれば、前面基板と背面基板とを備えるプラズマディスプレイパネルと、前記プラズマディスプレイパネルの背面に配されるシャーシーベースと、前記シャーシーベース上に設けられた印刷回路基板組立体と、前記プラズマディスプレイパネル、前記シャーシーベース及び、印刷回路基板組立体を内部に備え、上面に形成されたケース側通気孔を備えたケースと、前記ケースの内部で前記上面に形成されたケース側通気孔に対応して設けられるものであって、ケースの横方向に延びた１つ以上の排水用溝及び、１つ以上の排水用溝間に形成された通気孔を備える流入液遮断用のプレートと、を備えるプラズマディスプレイ装置が提供される。
【００１０】
また本発明によれば、前面基板と背面基板とを備えるプラズマディスプレイパネルと、前記プラズマディスプレイパネルの背面に配されるシャーシーベースと、前記シャーシーベース上に設けられた印刷回路基板組立体と、前記プラズマディスプレイパネル、前記シャーシーベース及び、印刷回路基板組立体を内部に備え、上面に形成されたケース側通気孔を備えたケースと、前記ケースの内側で前記上面に形成されたケース側通気孔に対応して設けられるものであって、ケースの横方向に延びた１つ以上の排水用溝及び、１つ以上の排水用溝間に形成された多数の通気孔を備える流入液遮断用のプレートと、前記ケースの背面に対応するように離隔して、前記流入液遮断用のプレートから延びた部分を有する内側壁と、を備えるプラズマディスプレイ装置が提供される。
【００１１】
本発明の一態様によれば、前記流入液遮断用のプレートの排水用溝は、前記ケースに形成されたケース側通気孔の直下に配され、前記流入液遮断用のプレートの通気孔は、前記ケースに形成されたケース側通気孔と互い違いに配される。
【００１２】
本発明の他の態様によれば、前記流入液遮断用のプレートの排水用溝を通じて流動する液体を排水させるように、前記排水用溝の端部に連結された排水路が前記ケースの側壁に形成される。
【００１３】
本発明の他の態様によれば、前記排水用溝は傾斜して形成される。
【発明の効果】
【００１４】
本発明によるプラズマディスプレイ装置は、外部から流入される可能性のある流入液が装置の回路に与える影響を根本的に遮断できる。したがって、プラズマディスプレイ装置を設置する場所に対する制約が緩和され、不注意な使用に対しても適切な予防措置を可能にする。
【発明を実施するための最良の形態】
【００１５】
以下、添付した図面に基づいて本発明を詳細に説明する。
【００１６】
図２は、本発明によるプラズマディスプレイ装置を示す概略的な斜視図である。
【００１７】
図面を参照すれば、本発明によるプラズマディスプレイ装置は、前面基板２１と背面基板２２とよりなるＰＤＰ２０と、前記ＰＤＰ２０の背面に配されたシャーシーベース２３と、前記シャーシーベース２３上に設けられた印刷回路基板組立体２６を備える。前記ＰＤＰ２０、前記シャーシーベース２３及び、印刷回路基板組立体２６は、ケース２７の内側に設けられる。ケース２７の前方にはフィルター２９が設けられる。
【００１８】
ＰＤＰ２０は、接着テープ２４を通じてシャーシーベース２３に付着され、ＰＤＰ２０とシャーシーベース２３との間に熱伝達用シート２５が配される。信号伝達用ケーブル２
８は、背面基板２２に形成された電極と印刷回路基板組立体２６上の回路とを電気的に接続する。また、前面基板２１に形成された電極と印刷回路基板組立体２６上の回路とを電気的に接続する他の信号伝達用ケーブル（図示せず）が備えられる。
【００１９】
本発明の一実施形態によれば、ケース２７の内部には流入液遮断用のプレート３０が備えられる。流入液遮断用のプレート３０は、図面に示されたように、ケース２７の内側に設けられるものであって、ケース２７の上面または背面の一部に形成されたケース側通気孔から流入される流入液を遮断できるようにケース２７の内側上部に設けられる。流入液遮断用のプレート３０には、通気孔と排水用溝とが形成されており、これについては後述する。
【００２０】
図３は、図２に示された流入液遮断用のプレートとケースの一部を拡大して示す断面図である。
【００２１】
図面を参照すれば、ケース２７の上面は、平面２７ｂと傾斜面２７ｃとが形成されており、前記平面２７ｂと傾斜面２７ｃには各々ケース側通気孔２７ａが形成されている。流入液遮断用のプレート３０には、１つ以上の排水用溝３１が形成されるが、このような排水用溝３１は流入液遮断用のプレート３０によって遮断された外部からの流入液を所定の経路を通じて案内するための水路の役割を果たす。
【００２２】
１つ以上の排水用溝３１は、図に示されたように、平面２７ｂ及び傾斜面２７ｃに形成されたケース側通気孔２７ａの直下に配されることが望ましい。すなわち、ケース側通気孔２７ａから流入された液体は重力によって直下に流入されるので、それに対応して排水用溝３１がケース側通気孔２７ａの直下に配されるのである。排水用溝３１は、後述するようにケース２７の横方向にも傾斜して形成されることによって、排水用溝３１を通じて案内される液体がケース２７の側壁に向かうようになる。
【００２３】
一方、１つ以上の排水用溝３１間には、通気孔３２が形成されるが、流入液遮断用のプレート３０の通気孔３２はケース２７に形成されたケース側通気孔２７ａと互い違いに配される。すなわち、流入液遮断用のプレート３０の通気孔３２は、ケース２７のケース側通気孔２７ａと垂直方向で一致しないように形成される。これは、流入液が流入液遮断用のプレート３０に形成された通気孔３２を通じて装置の内部に流入されることを防止するためである。流入液遮断用のプレート３０に形成された通気孔３２は、装置内部の熱を外部に放出するために形成される。
【００２４】
図面に示されたように、矢印Ａで表示された外部からの流入液は排水用溝３１に沿って所定の経路に案内され、矢印Ｂで表示された内部からの熱は、通気孔３２及び、ケース側通気孔２７ａを通じて外部に放出されうる。
【００２５】
図４は、図２及び図３を通じて説明された流入液遮断用のプレートとケースの一部を示す概略的な斜視図である。
【００２６】
図面を参照すれば、流入液遮断用のプレート３０はケース２７の横方向に延び、１つ以上の排水用溝３１と、前記排水用溝３１間に配された通気孔３２を有する。排水用溝３１はケース２７の横方向に延び、排水用溝３１の両端部はケース２７の側壁内部に形成された排水路４１と連結される。排水用溝３１に沿って流れる流入液が排水用溝３１の両端部に位置した排水路４１に円滑に流れるように、排水用溝３１は傾斜を有することが望ましい。排水用溝３１が傾斜するように、流入液遮断用のプレート３０は、横方向の中心部が最も高く、両端に行くほど低くなるように設計される。
【００２７】
ケース２７の側壁に設けられた排水路４１は、多様な形に備えられうる。例えば、排水路４１は、ケース２７の側壁に高さ方向に延びる溝を形成し、溝にカバーをかぶせた形であり得る。他の例では、カバーなしで傾斜を備えた溝で形成されることによって、流入液を側壁の排水路４１に沿ってケース２７の下方に流すものであり得る。排水路４１としては、いかなる形を備えるかに関係なく、流入液遮断用のプレート３０の排水用溝３１と連結されて流入液を案内できるものであれば良い。
【００２８】
図５は、本発明によるプラズマディスプレイ装置の他の実施形態を示す概略的な断面図である。
【００２９】
図面を参照すれば、ケース２７の内部には、ＰＤＰ２０と、シャーシーベース２３と、印刷回路基板組立体２６とが設けられ、これは図２と類似しているので、これ以上の説明は省略する。
【００３０】
本発明の他の実施形態によれば、ケース２７の内部には流入液遮断用のプレートと一体に形成された内側壁６０が備えられる。内側壁６０は、プラズマディスプレイ装置のケース２７の背面と対応するように設けられるものであって、上部には、図２及び図３に基づいて説明した流入液遮断用のプレート６１が備えられ、流入液遮断用のプレート６１から延びた垂直及び傾斜壁部分を有する。内側壁６０の垂直及び傾斜壁はケース２７の背面の断面形状に対応しつつ、背面から所定間隔離隔されて延びるものである。したがって、ケース２７が異なる形状を有するならば、流入液遮断用のプレート６１から延びた部分が他の形状を有することもある。
【００３１】
内側壁６０に備えられた流入液遮断用のプレート６１も、前記実施形態の説明と同様に排水用溝５８と、前記排水用溝５８の間に形成された通気孔５９を有する。排水用溝５８はケース２７に形成されたケース側通気孔２７ａの直下方に対応して形成され、通気孔５９は、ケース２７のケース側通気孔２７ａに対して互い違いに形成される。一方、内側壁６０の流入液遮断用のプレート６１から延びる垂直及び傾斜壁部分に形成された通気孔６３もケース２７の背面に形成されるケース側通気孔２７ａに対して交差するように形成されることが望ましい。
【００３２】
本発明は、図面に示された実施形態を参考に説明されたが、これは例示的なもの過ぎず、当業者ならばこれより多様な変形及び均等な他の実施形態が可能であるという点を理解できるであろう。したがって、本発明の真の保護範囲は特許請求の範囲の技術的思想によって決まるべきである。
【産業上の利用可能性】
【００３３】
本発明は、プラズマディスプレイ装置関連の製造技術分野に好適に適用されうる。
【図面の簡単な説明】
【００３４】
【図１】通常のプラズマディスプレイ装置を示す概略的な断面図である。
【図２】本発明によるプラズマディスプレイ装置を示す概略的な斜視図である。
【図３】図２に示された流入液遮断用のプレートとケースの一部とを拡大して示す断面図である。
【図４】図２及び図３を通じて説明された流入液遮断用のプレートとケースの一部を示す概略的な斜視図である。
【図５】本発明によるプラズマディスプレイ装置の他の実施形態を示す概略的な断面図である。
【符号の説明】
【００３５】
２０    ＰＤＰ、
２１    前面基板、
２２    背面基板、
２３    シャーシーベース、
２４    接着テープ、
２５    熱伝達用シート、
２６    印刷回路基板組立体、
２７    ケース、
２８    信号伝達用ケーブル、
２９    フィルター、
３０    流入液遮断用のプレート。
【図１】
2006119595.tif 000003
【図２】
2006119595.tif 000004
【図３】
2006119595.tif 000005
【図４】
2006119595.tif 000006
【図５】
2006119595.tif 000007